(57)【要約】【課題】閃光装置内のメインコンデンサエネルギーの消費を抑え、更にはバラツキの大きい比較的近距離での閃光発光量のバラツキを抑えることができる撮像装置を提供する。【解決手段】プリ発光手段により撮影前に被写体を照射し、前記プリ発光手段によるプリ発光の受光量を基に撮影時の閃光装置４９の本発光量を決定する撮像装置において、前記プリ発光手段として、印加される信号の大きさに応じて一定の強度で連続発光する光源４８を備えた撮像装置とする。【選択図】図１
2006343646.tif 000002
【特許請求の範囲】
【請求項１】
プリ発光手段により撮影前に被写体を照射し、前記プリ発光手段によるプリ発光の受光量を基に撮影時の閃光装置の本発光量を決定する撮像装置において、
前記プリ発光手段として、印加される信号の大きさに応じて一定の強度で連続発光する光源を備えたことを特徴とする撮像装置。
【請求項２】
前記光源による前記プリ発光の受光量が所定レベル以下の場合に、前記閃光装置を用いて前記プリ発光を行うことを特徴とする請求項１に記載の撮像装置。
【請求項３】
前記光源による前記プリ発光時に、ＩＳＯ感度を変更することを特徴とする請求項１に記載の撮像装置。
【請求項４】
前記光源は白色発光ダイオードであることを特徴とする請求項１乃至３のいずれかに記載の撮像装置。
【請求項５】
プリ発光手段により撮影前に被写体を照射し、前記プリ発光手段によるプリ発光の受光量を基に撮影時の閃光手段の本発光量を決定する閃光装置において、
前記プリ発光手段として、印加される信号の大きさに応じて一定の強度で連続発光する光源を備えたことを特徴とする閃光装置。
【請求項６】
前記光源による前記プリ発光の受光量が所定レベル以下の場合に、前記閃光手段を用いて前記プリ発光を行うことを特徴とする請求項５に記載の閃光装置。
【請求項７】
前記光源による前記プリ発光時に、ＩＳＯ感度を変更することを特徴とする請求項５に記載の閃光装置。
【請求項８】
前記光源は白色発光ダイオードであることを特徴とする請求項５乃至７のいずれかに記載の閃光装置。
【発明の詳細な説明】
【技術分野】
【０００１】
本発明は、プリ発光の受光量を基に撮影時の本発光量を決定する撮像装置および閃光装置に関するものである。
【背景技術】
【０００２】
撮影に先立ってプリ発光を行い、該プリ発光により本発光の光量を決定する調光制御方式のカメラが提案されており、本撮影直前のプリ発光時の反射光量の積分値を基に本発光量を決定する方式が一般的である。しかしながら、この方式には以下の二つの欠点があった。
【０００３】
第１に、このプリ発光では閃光装置を使用するためプリ発光でのメインコンデンサのエネルギーを消費してしまうこと、および、このことで本発光の光量の低下となってしまうことである。
【０００４】
第２に、本発光時の光量を十分確保するためプリ発光時の光量を必要最小限にする必要があり、プリ発光の閃光時間を短く設定するために発光毎の色温度変化やプリ発光時の少しの電流の立ち上がりの遅れなどによりプリ発光の光量にバラツキが発生していた。また、プリ発光で決定される本発光量が閃光時間で設定される場合ではプリ発光を行うことでメインコンデンサの電圧が低下し、キセノン管に印加される電圧が低下するために放電電流の立ち上がりに更に遅れが発生し、遅れた分閃光時間が短くなり、発光量が低下してしまうことからプリ発光と本発光でバラツキが増大する欠点があった。つまり、言うまでも無く近距離で閃光時間が短いほど光量バラツキへの影響が大きくなってしまう欠点があった。これに対し、本発光の場合にメインコンデンサを所定電圧に補充電を行うことで所定の電圧に戻し、メインコンデンサ電圧によるバラツキを抑えることも考えられるが、シャッタタイムラグが長くなる問題も発生する。
【０００５】
図９は放電管単体の色温度変化の一例であり、同一定格電圧を与え、放電管発光起動のトリガー印加から２０μｓｅｃ放電電流を流した１０回の発光バラツキを示しており、１０回のバラツキで約２００Ｋ（ケルビン）のバラツキが発生しており、図示しないが閃光時間が短いとバラツキは大きくなる傾向にある。
【０００６】
図１０は同様に２０μｓｅｃの放電における、（ａ）は放電電流、（ｂ）は光電流、（ｃ）は光電流の積分量、すなわち光量を示しており、（ａ）の放電電流の立ち上がりのバラツキで（ｃ）の光量は約２０％程度のバラツキが発生している。
【０００７】
図１１はメインコンデンサの放電電流の立ち上がりを示すデータの一例であり、定格電圧から２０Ｖ毎にメインコンデンサ電圧を低減させたもので、左波形が定格電圧で右にずれる程電圧を低下させた波形である。この図１１から、トリガー印加時点約５μｓｅｃからメインコンデンサ電圧によって放電が遅れることが明らかである。
【０００８】
このようなプリ発光時の色温度バラツキ、光量バラツキおよびプリ発光後のメインコンデンサ電圧の低下により本発光の電流立ち上がりが遅れ、本発光の光量を閃光時間で制御する場合など、両者の誤差が合成され、大きくなってしまうこととなる。
【０００９】
また、精度を向上させるため放電ループに挿入された絶縁型ゲートトランジスタなどの制御素子により高い周波数でプリ発光の光量を一定輝度となるよう放電管から照射される光を直接またはファイバーを介してモニタし、放電電流を制御しフラットな光量でのプリ発光照射を行う装置がある。本発光についてもプリ発光により決定された本発光光量を撮影時に放電管から照射される光を直接またはファイバーを介してモニタすることで制御し、発光光量バラツキを低減している装置もある。
【００１０】
また、従来例として、内蔵ストロボと外部ストロボを選択的に使用したもの（特許文献１）、複数の分割領域の大小でプリ発光の発光モードを変えるもの（特許文献２）、カラー撮像素子を用いたＡＦ（オートフォーカス）の補助光として、白色ＬＥＤ（発光ダイオード）とは別の単色ＬＥＤを用いたもの（特許文献３）、ＡＦの補助光として撮影領域にパターン光を投影するため、発光ダイオードを用いたもの（特許文献４）、ＡＦの補助光として撮影領域にパターン光を投影するため、発光ダイオードにより２種以上のパターン光を選択的に使用するもの（特許文献５）などが提案されている。
【特許文献１】特開２００３−２８７６７４号公報
【特許文献２】特開２０００−２９２１３１号公報
【特許文献３】特開２０００−２９２１３５号公報
【特許文献４】特開２０００−３３８５６６号公報
【特許文献５】特開平０９−０４３６７０号公報
【発明の開示】
【発明が解決しようとする課題】
【００１１】
しかしながら、上記のような機能を備えることは回路規模の増加につながり、また断続的に発光することで発光ロスが増大し、発光効率が低下することで更に大きなメインコンデンサ容量が必要となり、コンパクトなカメラにおいては形状が大きくなること、および、コストアップとなるといった不具合となる。従って、閃光装置のメインコンデンサエネルギーの消費を抑え、特に近距離の露光でバラツキの少ないカメラシステムや閃光撮影システムが望まれていた。
【００１２】
（発明の目的）
本発明の目的は、閃光装置内のメインコンデンサエネルギーの消費を抑え、更にはバラツキの大きい比較的近距離での閃光発光量のバラツキを抑えることのできる撮像装置および閃光装置を提供しようとするものである。
【課題を解決するための手段】
【００１３】
上記目的を達成するために、本発明は、プリ発光手段により撮影前に被写体を照射し、前記プリ発光手段によるプリ発光の受光量を基に撮影時の閃光装置の本発光量を決定する撮像装置において、前記プリ発光手段として、印加される信号の大きさに応じて一定の強度で連続発光する光源を備えた撮像装置とするものである。
【００１４】
同じく上記目的を達成するために、本発明は、プリ発光手段により撮影前に被写体を照射し、前記プリ発光手段によるプリ発光の受光量を基に撮影時の閃光手段の本発光量を決定する閃光装置において、前記プリ発光手段として、印加される信号の大きさに応じて一定の強度で連続発光する光源を備えた閃光装置とするものである。
【発明の効果】
【００１５】
本発明によれば、閃光装置内のメインコンデンサエネルギーの消費を抑え、更にはバラツキの大きい比較的近距離での閃光発光量のバラツキを抑えることができる撮像装置または閃光装置を提供できるものである。
【発明を実施するための最良の形態】
【００１６】
本発明を実施するための最良の形態は、以下の実施例１ないし実施例３に示す通りである。
【実施例１】
【００１７】
図１は本発明の実施例１に係わる閃光装置を具備するカメラの一例である撮像装置の回路構成を示すブロック図であり、同図において、１００は撮像装置であり、１５０は以下の撮像装置１００に接続される電源装置、２００および２１０は撮像装置１００に接続される記録媒体である。
【００１８】
まず、上記撮像装置１００の構成部品について説明する。１０は撮像レンズ及びフォーカスレンズを含む撮像光学系、１２は絞り機能を備えるシャッタ、１４は光学像を電気信号に変換する撮像素子、１６は撮像素子１４のアナログ信号出力をディジタル信号に変換するＡ／Ｄ変換器である。１８は、撮像素子１４、Ａ／Ｄ変換器１６および後述するＤ／Ａ変換器２６にクロック信号や制御信号を供給するタイミング発生回路であり、メモリ制御回路２２およびシステム制御回路５０により制御される。
【００１９】
２０は画像処理回路であり、Ａ／Ｄ変換器１６からのデータ或いはメモリ制御回路２２からのデータに対して所定の画素補間処理や色変換処理を行う。また、画像処理回路２０では撮像した画像データを用いて所定の演算処理を行っており、得られた演算結果に基づいて、後述のシステム制御回路５０が露光制御回路４０、測距制御回路４２の制御を行う、所謂ＡＦ（オートフォーカス）処理、ＡＥ（自動露出）処理、ＥＦ（フラッシュプリ発光）処理を行う。また、画像処理回路２０では、撮像した画像データを用いて所定の演算処理を行い、後述のシステム制御回路５０が得られた演算結果に基づいてＴＴＬ方式のＡＷＢ（オートホワイトバランス）処理も行う。
【００２０】
２２はメモリ制御回路であり、Ａ／Ｄ変換器１６、タイミング発生回路１８、画像処理回路２０、画像表示メモリ２４、Ｄ／Ａ変換器２６、メモリ３０および圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２８はＴＦＴ  ＬＣＤ等から成る画像表示部であり、画像表示メモリ２４に書き込まれた表示用の画像データがＤ／Ａ変換器２６を介してこの画像表示部２８にて表示される。この画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２２】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２３】
４０は露光制御回路であり、絞り機能を備えるシャッタ１２を制御して第２の光源であるキセノン管を使用した閃光装置と連携することにより補助光の調光機能を有するものである。４７は第２の光源４９である閃光装置のキセノン管を点灯させるための電源を与える電源制御回路である。４２は撮像光学系１０のフォーカシングを制御する測距制御回路、４４は撮影光学系１０のズーミングを制御するズーム制御回路、４６は後述のバリア１０２の動作を制御するバリア制御回路である。４８はプリ発光に用いられる白色ＬＥＤである第１の光源である。第１の光源である白色ＬＥＤ４８は閃光装置よりも発光強度は弱いが、閃光装置と異なり、印加される信号の大きさに応じて一定の強度で連続発光することが可能である。
【００２４】
上記の露光制御回路４０、測距制御回路４２はＴＴＬ方式を用いて制御されており、撮像した画像データを画像処理回路２０によって演算した演算結果に基づき、システム制御回路５０が露光制御回路４０、測距制御回路４２に対して制御を行う。システム制御回路５０は撮像装置１００全体を制御し、システム制御回路５０の動作用の定数、変数、プログラム等をメモリ５２が記憶する。
【００２５】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。また、表示部５４は、その一部の機能が後述の光学ファインダ１０４内に設置されている。表示部５４の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、防振機能表示、等がある。また、表示部５４の表示内容のうち、光学ファインダ１０４内に表示するものとしては、合焦表示、手振れ警告表示、フラッシュ表示、シャッタスピード表示、絞り値表示、露出補正表示、等がある。
【００２６】
５６は電気的に消去・記録可能な不揮発性メモリであり、例えばＥＥＰＲＯＭ等が用いられる。６０，６２，６４，６６，６８および７０は、システム制御回路５０の各種の動作指示を入力するための操作部材であり、スイッチやダイアル、タッチパネル、視線検知によるポインティング、音声認識装置等の単数或いは複数の組み合わせで構成される。以下にこれら操作部材の具体的な説明を行う。
【００２７】
６０はモードダイアルスイッチであり、電源オフ、自動撮影モード、撮影モード、パノラマ撮影モード、再生モード、マルチ画面再生・消去モード、ＰＣ接続モード等の各機能モードを切り換え設定することが出来る。６２（ＳＷ１）は、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示するスイッチである。６４（ＳＷ２）は、不図示のシャッタボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、後述する記録媒体２００或いは２１０に画像データを書き込む記録処理という、一連の処理の動作開始を指示するスイッチである。
【００２８】
６６は画像表示ＯＮ／ＯＦＦスイッチであり、画像表示部２８のＯＮ／ＯＦＦを設定することが出来る。この機能により、画像表示部２８のＯＦＦを設定することで光学ファインダ１０４を用いて撮影を行う際に、ＴＦＴ  ＬＣＤ等から成る画像表示部２８への電流供給を遮断することにより、省電力を図ることが可能となる。６８はクイックレビューＯＮ／ＯＦＦスイッチであり、撮影直後に撮影した画像データを自動再生するクイックレビュー機能を設定する。７０は各種ボタンやタッチパネル等からなる操作部で、メニューボタン、セットボタン、マクロボタン、マルチ画面再生改ページボタン、フラッシュ設定ボタン、単写／連写／セルフタイマ切り換えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、等がある。
【００２９】
８０は電源制御回路であり、電池検出回路、ＤＣ−ＤＣコンバータ、通電するブロックを切り換えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２は電源装置１５０との接続端子であるコネクタである。
【００３０】
ここで、上記の電源装置１５０は、撮像装置１００のコネクタ８２と電気的に接続されるコネクタ、および、アルカリ電池やリチウム電池等の一次電池、ＮｉＣｄ電池、ＮｉＭＨ電池、Ｌｉイオン電池等の二次電池、ＡＣアダプター等からなる電源部８６を具備している。
【００３１】
９０及び９４はメモリカードやハードディスク等の記録媒体とのインターフェース、９２及び９６はメモリカードやハードディスク等の記録媒体と電気的な接続を行うコネクタ、９８はコネクタ９２および（或いは）９６に記録媒体２００或いは２１０が装着されているか否かを検知する記録媒体着脱検知部である。
【００３２】
なお、本実施例１では、記録媒体２００，２１０を取り付けるインターフェース及びコネクタを２系統持つものとして説明しているが、もちろん、記録媒体２００，２１０を取り付けるインターフェース及びコネクタは、単数でも良いし、或いは２系統以上の任意の数でも良い。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード、或いはその他種々の記憶媒体の規格に準拠したものを用いて構成して構わない。さらに、インターフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００３３】
１０２は撮像装置１００の撮像光学系１０を含む撮像部を覆う事により、撮像部の汚れや破損を防止する保護手段であるバリアである。１０４は光学ファインダであり、画像表示部２８による電子ファインダ機能を使用すること無しに、この光学ファインダ１０４のみを用いて撮影を行うことが可能である。また、光学ファインダ１０４内には、表示部５４の一部の機能、例えば、合焦表示、手振れ警告表示、フラッシュ表示、シャッタスピード表示、絞り値表示、露出補正表示などが設置されている。
【００３４】
１１０は通信回路であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信回路１１０により撮像装置１００を他の機器と接続するコネクタ或いは無線通信の場合はアンテナである。
【００３５】
２００はメモリカードやハードディスク等の記録媒体である。この記録媒体２００は、半導体メモリや磁気ディスク等から構成される記録部２０２、撮像装置１００とのインターフェース２０４、撮像装置１００と接続を行うコネクタ２０６を備えている。２１０はメモリカードやハードディスク等の記録媒体である。この記録媒体２１０は、半導体メモリや磁気ディスク等から構成される記録部２１２、撮像装置１００とのインターフェース２１４、撮像装置１００と接続を行うコネクタ２１６を備えている。
【００３６】
次に、上記の構成により撮像装置の主要な動作を、図２および図３のフローチャートにしたがって説明する。
【００３７】
図２のステップＳ１０１にて、システム制御回路５０は、電池交換等の電源投入によりフラグや制御変数等を初期化し、次のステップＳ１０２にて、画像表示部２８の画像表示をＯＦＦ状態に初期設定する。そして、ステップＳ１０３にて、モードダイアル６０の設定位置を判定し、モードダイアル６０が電源ＯＦＦに設定されていたならばステップＳ１０５へ進み、各表示部の表示を終了状態に変更し、バリア１０２を閉じて撮像部を保護し、また、フラグや制御変数等を含む必要なパラメータや設定値、設定モードを不揮発性メモリ５６に記録し、電源制御回路８０を介して画像表示部２８を含む撮像装置１００各部の不要な電源を遮断する等の所定の終了処理を行い、ステップＳ１０３に戻る。
【００３８】
また、モードダイアル６０が撮影モードに設定されていたならば、システム制御回路５０は、ステップＳ１０３から後述するステップＳ１０６へ進む。モードダイアル６０がその他のモードに設定されていたならば、ステップＳ１０３からステップＳ１０４へ進み、選択されたモードに応じた処理を実行し、処理を終えたならばステップＳ１０３に戻る。
【００３９】
モードダイアル６０が撮影モードに設定されていたとしてステップＳ１０６へ進むと、システム制御回路５０は、電源制御回路８０により電池等により構成される電源部８６の残容量や動作情況が撮像装置１００の動作に問題があるか否かを判定し、問題があるならばステップＳ１０８へ進み、表示部５４を用いて画像や音声により所定の警告表示を行った後にステップＳ１０３に戻る。
【００４０】
一方、電源８６に問題が無いならばステップＳ１０６からステップＳ１０７へ進み、システム制御回路５０は、記録媒体２００或いは２１０の動作状態が撮像装置１００の動作、特に記録媒体に対する画像データの記録再生動作に問題があるか否かを判定し、問題があるならばステップＳ１０８へ進み、表示部５４を用いて画像や音声により所定の警告表示を行った後にステップＳ１０３に戻る。
【００４１】
記録媒体２００或いは２１０の動作状態に問題が無いならばステップＳ１０７からステップＳ１０９へ進み、システム制御回路５０は、表示部５４を用いて画像や音声により撮像装置１００の各種設定状態の表示を行う。なお、画像表示部２８の画像表示をＯＮにして、この画像表示部２８を用いて画像や音声により撮像装置１００の各種設定状態の表示を行うようにしてもよい。そして、次のステップＳ１１０にて、画像表示部２８の画像表示をＯＮにして撮像した画像データを逐次表示するスルー表示状態に設定し、図３のステップＳ１１４へ進む。
【００４２】
図３のステップＳ１１４では、システム制御回路５０は、スイッチＳＷ１が押されている（ＯＮ）かの判定を行い、押されていない（ＯＦＦ）ならば図２のステップＳ１０３に戻る。また、スイッチＳＷ１が押されていたならばステップＳ１１４からステップＳ１１５へ進み、測距処理を行って撮像光学系１０の焦点を被写体に合わせ、測光処理を行って絞り値及びシャッタ秒時を決定する。測光処理に於いて、必要であればフラッシュフラグをセットし、フラッシュの設定も行う。この測距・測光処理の詳細は図４のフローチャートを用いて後述する。
【００４３】
上記の測距・測光処理を終えたならばステップＳ１１６へ進み、システム制御回路５０は、スイッチＳＷ２が押されているかの判定を行い、押されていなければステップ１１７へ進み、スイッチＳＷ１が押されたままかの判定を行う。もしスイッチＳＷ１が押されていなければ図２のＳ１０３に戻るが、スイッチＳＷ２が押されていたならばステップＳ１１６からステップＳ１１８へ進む。
【００４４】
ステップＳ１１８へ進むと、システム制御回路５０は、撮像素子１４、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む露光処理、および、メモリ制御回路２２そして必要に応じて画像処理回路２０を用いて、メモリ３０に書き込まれた画像データを読み出して各種処理を行う現像処理からなる撮影処理を実行する。この撮影処理の詳細は、図５のフローチャートを用いて後述する。
【００４５】
次のステップＳ１１９では、システム制御回路５０は、メモリ３０に書き込まれた撮影画像データを読み出して、メモリ制御回路２２そして必要に応じて画像処理回路２０を用いて各種画像処理を実行し、また、圧縮・伸長回路３２を用いて設定したモードに応じた画像圧縮処理を行った後、記録媒体２００或いは２１０へ画像データの書き込みを行う記録処理を実行する。この記録処理の詳細は、図６のフローチャートを用いて後述する。
【００４６】
次のステップＳ１２０では、システム制御回路５０は、スイッチＳＷ２が押されたままの状態かの判定を行い、押されたままであればステップＳ１２１へ進み、ここでは内部メモリ或いはメモリ５２に記憶される連写フラグの状態を判定し、連写フラグが設定されていたならば、連続して撮影を行うためにステップＳ１１６に戻り、次の撮影を行う。また、連写フラグが設定されていないならば、ステップＳ１２１からステップＳ１２０に戻り、スイッチＳＷ２の押圧が解除放されるまでステップＳ１２０→Ｓ１２１→Ｓ１２０の処理を繰り返す。
【００４７】
上記ステップＳ１２０にてスイッチＳＷ２の押圧が解除されたことを判定するとステップＳ１２２へ進み、システム制御回路５０は、スイッチＳＷ１が押された状態であるかの判定を行い、押された状態であればステップＳ１１６に戻って次の撮影に備える。また、スイッチＳＷ１の押圧が解除されていれば、一連の撮影動作を終えて図２のステップＳ１０３に戻る。
【００４８】
次に、図３のステップＳ１１５にて実行される測距・測光処理の詳細を、図４のフローチャートを用いて説明する。
【００４９】
図４のステップＳ２０１では、システム制御回路５０は、撮像素子１４から電荷信号を読み出し、Ａ／Ｄ変換器１６を介して画像処理回路２０に撮影画像データを逐次読み込む。この逐次読み込まれた画像データを用いて、画像処理回路２０はＴＴＬ（スルー・ザ・レンズ）方式のＡＥ（自動露出）処理、ＥＦ（フラッシュプリ発光）処理に用いる所定の演算、及びＡＦ（オートフォーカス）処理を行っている。なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００５０】
次のステップＳ２０２では、システム制御回路５０は、画像処理回路２０での演算結果を用いて露出（ＡＥ）が適正か否かを判定し、適正でなければステップＳ２０３へ進み、露光制御回路４０を用いてＡＥ制御を行う。そして、次のステップＳ２０４にて、ＡＥ制御で得られた測定データを用いてフラッシュ（閃光発光）が必要か否かを判定し、フラッシュが必要なければステップＳ２０１へ戻るが、フラッシュが必要ならばステップＳ２０５へ進み、フラッシュフラグを内部メモリ或いはメモリ５２に記憶してフラッシュの準備を行い、ステップＳ２０１へ戻る。ステップＳ２０１に戻った後は、ステップＳ２０２にて露出（ＡＥ）が適正と判定できるまで、上記と同様の動作を繰り返す。
【００５１】
ステップＳ２０２にて露出（ＡＥ）が適正と判定したならばステップＳ２０６へ進み、システム制御回路５０は、測定データ及び或いは設定パラメータを内部メモリ或いはメモリ５２に記憶する。次のステップＳ２０７では、画像処理回路２０での演算結果及びＡＥ制御で得られた測定データを用いてホワイトバランス（ＡＷＢ）が適正か否かを判定し、適正でなければステップＳ２０８へ進み、画像処理回路２０を用いて色処理のパラメータを調節してＡＷＢ制御を行い、その後はステップＳ２０１に戻り、ステップＳ２０７にてホワイトバランス（ＡＷＢ）が適正と判定できるまで同様の動作を繰り返す。
【００５２】
上記ステップＳ２０７にてホワイトバランス（ＡＷＢ）が適正と判定したならば、システム制御回路５０は、測定データ及び或いは設定パラメータをシステム制御回路５０内部のメモリ或いはメモリ５２に記憶する。そして、次のステップＳ２０９へ進み、ＡＥ制御及びＡＷＢ制御で得られた測定データを用いて測距（ＡＦ）が合焦となっているかの判定を行い、合焦でなければステップＳ２１０へ進み、測距制御回路４２を用いてＡＦ制御を行い、その後はステップＳ２０１に戻り、ステップＳ２０９にて合焦となるまで同様の動作を繰り返す。
【００５３】
上記ステップＳ２０９にて測距（ＡＦ）が合焦であると判定するとステップＳ２１１へ進み、測定データ及び或いは設定パラメータをシステム制御回路５０内部メモリ或いはメモリ５２に記憶し、この測距・測光処理を終了する。  
【００５４】
次に、図３のステップＳ１１８にて実行される撮像処理の詳細について、図５のフローチャートを用いて説明する。
【００５５】
図５のステップＳ３２０では、システム制御回路５０は、フラッシュフラグがセットされているかどうかを内部メモリ或いはメモリ５２によりチェックし、フラッシュが必要か否かを判定し、この結果フラッシュが不要であれば、直ちに後述のステップＳ３０１へ進む。
【００５６】
一方、フラッシュが必要な場合はステップＳ３２２へ進み、システム制御回路５０は、第１の光源４８である白色ＬＥＤにより所定期間プリ発光を行うと共に、この発光に同期して得られた電荷信号を撮像素子１４から読み出し、Ａ／Ｄ変換器１６を介して画像処理回路２０に画像データを読み込み、この画像から測光データを得る。そして、次のステップＳ３２３にて、上記白色ＬＥＤによる測光データが所定レベル以下であり、露光不足かどうかを判定する。この結果、白色ＬＥＤによる測光データが所定レベルを越え、露光不足でない場合は、直ちにステップＳ３２５に進むが、白色ＬＥＤによる測光データが所定以下であり、露光不足の場合はステップＳ３２４へ進み、第１の光源４８である白色ＬＥＤより発光輝度が高い、第２の光源４９である閃光装置による所定のプリ発光量にてプリ発光を行い、第２のプリ発光に同期して得られた電荷信号を撮像素子１４から読み出し、Ａ／Ｄ変換器１６を介して画像処理回路２０に画像データを読み込み、この画像から第２の測光データを得て、ステップＳ３２５へ進む。
【００５７】
次のステップＳ３２５では、システム制御回路５０は、内部のメモリ或いはメモリ５２に記憶されている、図４のステップＳ２０６で得られた外光成分データと上記の第１或いは第２の測光データとにより本発光光量を決定し、本発光データを内部メモリ或いはメモリ５２に記憶し、ステップＳ３０１に進む。
【００５８】
ステップＳ３０１では、システム制御回路５０は、内部メモリ或いはメモリ５２に記憶される測光データに従い、露光制御回路４０により、絞り機能を有するシャッタ１２を得られた測光データに対応する絞り値に設定し、次のステップＳ３０２にて、撮像素子１４を露光する。
【００５９】
次のステップＳ３０３では、システム制御回路５０は、フラッシュフラグがセットされているかをチェックしてフラッシュが必要か否かを判定し、必要が無ければ直ちにステップＳ３０５へ進み、内部メモリ或いはメモリ５２に記憶される測光データに従い、露光終了まで露光を行い、ステップＳ３０６へ進む。一方、フラッシュが必要な場合には、システム制御回路５０は、ステップＳ３０３からステップＳ３０４へ処理を進め、内部メモリ或いはメモリ５２記憶された本発光データに従って閃光装置（４９）を発光させ、次のステップＳ３０５にて、露光の終了を待ち、露光を終える。
【００６０】
次のステップＳ３０６では、システム制御回路５０は、シャッタ１２を閉じ、続くステップＳ３０７にて、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む。
【００６１】
そして、次のステップＳ３０８では、システム制御回路５０は、設定された撮影モードに応じて、フレーム処理を行う必要があるならば、ステップＳ３０９およびステップＳ３１０へ進み、メモリ制御回路２２そして必要に応じて画像処理回路２０を用いて、メモリ３０に書き込まれた画像データを読み出して垂直加算処理、および、色処理を順次行った後、メモリ３０に処理を終えた画像データを書き込む。なお、上記ステップＳ３０８にてフレーム処理を行う必要が無ければ直ちにステップＳ３１１へ進み、メモリ３０に処理を終えた画像データを書き込む。
【００６２】
次のステップＳ３１１では、システム制御回路５０は、メモリ３０から画像データを読み出し、メモリ制御回路２２を介して画像表示メモリ２４に表示画像データの転送を行う。
【００６３】
以上で、撮影処理を終了する。
【００６４】
ここで、図６に本発光光量のイメージ図を示す。必要なガイドナンバー（以下、ＧＮｏ．）は目標露光量から外光成分を省いた目標光量Ｑ、第２のプリ発光受光量から外光成分を省いた受光光量ＱＰ２とすれば
必要ＧＮｏ．＝（第２のプリ発光ＧＮｏ．）×√（Ｑ／ＱＰ２）
となり、本発光のＧＮｏ．が決定できる。
【００６５】
また、第１の光源４８である白色ＬＥＤのＧＮｏ．は
ＧＮｏ．＝０．３×√（４π×０．００４５×ＩＳＯ×Ｉｓ）
Ｉｓ；［ｃｄ・ｓｅｃ］ＩＳＯ＝１００
として換算が可能である。第１のプリ発光受光量から外光成分を省いた受光光量ＱＰ１とすれば
必要ＧＮｏ．＝（第１のプリ発光ＧＮｏ．）×√（Ｑ／ＱＰ１）
となり、第１の光源４８である白色ＬＥＤも、ＧＮｏ．の換算で本発光のＧＮｏ．が決定できる。１０ｃｄの白色ＬＥＤで０．８秒照射した場合のＧＮｏ．は、約２（ＩＳＯ１００，ｍ）となる。
【００６６】
次に、本実施例１における画像データの記録形式について説明する。図７は、図３のステップＳ１１９にて実行される記録処理の詳細を示すフローチャートである。
【００６７】
図７のステップＳ４０１にて、システム制御回路５０は、メモリ制御回路２２そして必要に応じて画像処理回路２０を用いて、メモリ３０に書き込まれた撮影画像データを読み出して撮像素子１４の縦横画素比率を１：１に補間する画素正方化処理を行い、メモリ３０に処理を終えた画像データを書き込む。そして、次のステップＳ４０２にて、メモリ３０に書き込まれた画像データを読み出して、設定したモードに応じた画像圧縮処理を圧縮・伸長回路３２により行う。
【００６８】
続くステップＳ４０３では、インターフェース９０或いは９４、コネクタ９２或いは９６を介して、メモリカードやＣＦカード等の記録媒体２００或いは２１０へ圧縮した画像データの書き込みを行う。記録媒体２００或いは２１０への書き込みが終わったならば、この記録処理を終了する。
【００６９】
上記実施例１によれば、第１の光源４８である白色ＬＥＤ（白色発光ダイオード）もしくは第２の光源４９である閃光装置をプリ発光手段として用い、該プリ発光手段によるプリ発光の受光量を基に撮影のための本発光量を決定する撮像装置１００において、前記プリ発光手段として、前記白色ＬＥＤを優先して用いるようにしている。詳しくは、第１の光源４８である白色ＬＥＤによるプリ発光の受光量が所定レベル以下の場合に、第２の光源４９である閃光装置を用いてプリ発光を行うようにしている（図５のステップＳ３２２〜Ｓ３２５）。
【００７０】
別言すれば、第１の光源４８である白色ＬＥＤによるプリ発光の受光光量が所定レベル以下で、被写体に届かない時のみ、第２の光源４９である閃光装置によるプリ発光を行うこととしている。
【００７１】
以上のように、本実施例１によれば、プリ発光を、第１の光源４８である白色ＬＥＤを優先して使用するようにしているので、プリ発光のための閃光（フラッシュ）による閃光装置内のメインコンデンサの消費を抑制することが出来、省エネルギーが可能となった。
【００７２】
また、閃光時間が短い閃光装置のプリ発光に対して、白色ＬＥＤにより安定した光量でプリ発光が行われるため、プリ発光量のバラツキを抑えることが可能となった。
【実施例２】
【００７３】
次に、本発明の実施例２について説明する。本発明の実施例２における撮像装置の回路構成は図１と同様であり、その説明は省略する。また、図３のステップＳ１１８の撮像処理以外は、上記実施例１の動作と同様であるので、その説明も省略する。
【００７４】
本発明の実施例２における撮像処理について、図８のフローチャートを用いて説明する。なお、図５と同じ動作を行う部分は同一の符号を付してある。
【００７５】
図８のステップＳ３２０にて、システム制御回路５０は、フラッシュフラグがセットされているかどうかを内部メモリ或いはメモリ５２によりチェックし、フラッシュが必要か否かを判定する。この結果、不要であれば、直ちに後述するステップＳ３０１へ進む。
【００７６】
一方、システム制御回路５０は、フラッシュが必要な場合はステップＳ３２０からステップＳ５０１へ進み、第１の光源４８である白色ＬＥＤの見かけの光量を上げるためにＩＳＯ感度を予め決められた所定量上げる変更を行う。そして、次のステップＳ３２２にて、第１の光源４８である白色ＬＥＤにより所定量のプリ発光を行い、プリ発光に同期して得られた電荷信号を撮像素子１４から読み出し、Ａ／Ｄ変換器１６を介して画像処理回路２０に画像データを読み込み、この画像から測光データを得る。続くステップＳ５０２では、ＩＳＯ感度を予め決められた所定量下げ、ステップＳ３２３へ進む。
【００７７】
次のステップＳ３２３では、システム制御回路５０は、第１の光源４８である白色ＬＥＤによる測光データが使用可能かを判定し、使用可能であれば直ちにステップＳ３２５へ進む。
【００７８】
また、ステップＳ３２３およびステップＳ５０３にて、撮像素子１４が飽和をするような、光量が大きいと判定した場合には、システム制御回路５０は、ステップＳ３２２に戻り、上記ステップＳ５０２で下げたＩＳＯ感度で白色ＬＥＤである第１の光源を使用して再度プリ発光を行い、発光に同期して得られた電荷信号を撮像素子１４から読み出し、Ａ／Ｄ変換器１６を介して画像処理回路２０に画像データを読み込み、この画像からを測光データを得る。そして、次のステップＳ５０２にて、再度ＩＳＯ感度を所定量下げる動作を行い、次のステップＳ３２３にて、使用可能な測光データが出るまで上記の動作を繰り返す。
【００７９】
また、上記ステップＳ５０３にて、光量が不足の場合には、システム制御回路５０は、ステップＳ３２４へ進み、第１の光源４８より発光輝度が高い、第２の光源４９である閃光装置による所定量のプリ発光を行い、第２のプリ発光に同期して得られた電荷信号を撮像素子１４から電荷信号を読み出し、Ａ／Ｄ変換器１６を介して画像処理回路２０に画像データを読み込み、この画像からを第２の測光データを得てステップＳ３２５へ進む。
【００８０】
ステップＳ３２５へ進むと、システム制御回路５０は、前述した図４のステップＳ２０６にて内部メモリ或いはメモリ５２に記憶されている外光成分と上記の第１或いは第２の測光データから本発光光量を決定し、本発光データを内部メモリ或いはメモリ５２に記憶し、次のステップＳ５０４にて、ＩＳＯ感度を上記ステップＳ５０１で変更する前の元の設定されていた感度に戻し、ステップＳ３０１に進む。
【００８１】
ステップＳ３０１では、システム制御回路５０は、内部メモリ或いはメモリ５２に記憶される測光データに従い、露光制御回路４０により、絞り機能を有するシャッタ１２を得られた測光データに対応する絞り値に設定し、次のステップＳ３０２にて、撮像素子１４を露光する。
【００８２】
次のステップＳ３０３では、システム制御回路５０は、フラッシュフラグがセットされているかをチェックしてフラッシュが必要か否かを判定し、必要が無ければ直ちにステップＳ３０５へ進み、内部メモリ或いはメモリ５２に記憶される測光データに従い、露光終了まで露光を行い、ステップＳ３０６へ進む。一方、フラッシュが必要な場合には、システム制御回路５０は、ステップＳ３０３からステップＳ３０４へ処理を進め、内部メモリ或いはメモリ５２記憶された本発光データに従って閃光装置（４９）を発光させ、次のステップＳ３０５にて、露光の終了を待ち、露光を終える。
【００８３】
次のステップＳ３０６では、システム制御回路５０は、シャッタ１２を閉じ、続くステップＳ３０７にて、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む。
【００８４】
そして、次のステップＳ３０８では、システム制御回路５０は、設定された撮影モードに応じて、フレーム処理を行う必要があるならば、ステップＳ３０９およびステップＳ３１０へ進み、メモリ制御回路２２そして必要に応じて画像処理回路２０を用いて、メモリ３０に書き込まれた画像データを読み出して垂直加算処理、および、色処理を順次行った後、メモリ３０に処理を終えた画像データを書き込む。なお、上記ステップＳ３０８にてフレーム処理を行う必要が無ければ直ちにステップＳ３１１へ進み、メモリ３０に処理を終えた画像データを書き込む。
【００８５】
次のステップＳ３１１では、システム制御回路５０は、メモリ３０から画像データを読み出し、メモリ制御回路２２を介して画像表示メモリ２４に表示画像データの転送を行う。
【００８６】
以上で、撮影処理を終了する。
【００８７】
以上のように、第１の光源４８である白色ＬＥＤの発光量は閃光光量に対して低いため、上記実施例１にても述べたように、１０ｃｄの白色ＬＥＤＬを０．８秒点灯させてもＧＮｏ．は２程度であり、ここでは白色ＬＥＤを使用した場合にはＩＳＯ感度を上げて見かけ上の光量アップを行っている。従って、必要なガイドナンバー（ＧＮｏ．）は目標露光量から外光成分を省いた目標光量Ｑ、第２のプリ発光受光量から外光成分を省いた受光光量ＱＰ２とすれば、ＩＳＯ感度を加味して、第１のプリ発光受光量から外光成分を省いた受光光量ＱＰ１とすれば
必要ＧＮｏ．＝（第１のプリ発光ＧＮｏ．）×√（Ｑ／ＱＰ１）
×√（ＩＳＯ変更値／ＩＳＯ設定値）
となり、白色ＬＥＤのＧＮｏ．の換算でＩＳＯ変更を加味して本発光のＧＮｏ．が決定できる。１０ｃｄの白色ＬＥＤで０．８秒照射した場合、ＩＳＯ１００の設定値からＩＳＯ４００に変更した時のＧＮｏ．は約４（ＩＳＯ４００，ｍ）となる。
【００８８】
上記実施例２によれば、第１の光源４８である白色ＬＥＤ（白色発光ダイオード）もしくは第２の光源４９である閃光装置をプリ発光手段として用い、該プリ発光手段によるプリ発光の受光量を基に撮影のための本発光量を決定する撮像装置１００において、前記プリ発光手段として、前記白色ＬＥＤを優先して用いるようにしている。詳しくは、第１の光源４８である白色ＬＥＤによるプリ発光の受光量が所定レベル以下の場合に、第２の光源４９である閃光装置を用いてプリ発光を行うようにしている（図８のステップＳ３２２〜Ｓ３２５）。
【００８９】
以上のように、本実施例２によれば、プリ発光を、第１の光源４８である白色ＬＥＤを優先して使用するようにしているので、プリ発光のための閃光（フラッシュ）による閃光装置内のメインコンデンサの消費を抑制することが出来、省エネルギーが可能となった。
【００９０】
また、閃光時間が短い閃光装置のプリ発光に対して、白色ＬＥＤにより安定した光量でプリ発光が行われるため、プリ発光量のバラツキを抑えることが可能となった。
【００９１】
また、閃光装置を使用したプリ発光をなるべく使用しないよう、白色ＬＥＤの見かけ上の光量アップを行うため、撮像装置１００のＩＳＯ感度を上げることで該白色ＬＥＤを使用する撮像領域を広げるようにしている。このようにＩＳＯ感度を上げることで白色ＬＥＤの見かけ上の光量を上げるので、閃光によるプリ発光範囲を狭めることができ、更なる省エネルギーを達成可能となった。
【００９２】
（変形例）
上記実施例１および２において、閃光装置と白色ＬＥＤの色温度は同じではなく、本発光の光量の決定時に色温度を加味した補正をしてもよい。
【００９３】
また、閃光装置と白色ＬＥＤの配光は同じでなくとも良く、本発光の光量の決定時に配光の差に関して本発光光量に補正を加えても良い。更に、説明では省いたが、白色ＬＥＤの光量を安定させる為には低電流で駆動または低電圧電源により駆動することでよい。
【００９４】
また、閃光装置や白色ＬＥＤは撮像装置１００内に具備されているが、白色ＬＥＤを備えた別体の閃光装置として、撮像装置に着脱自在のものであっても良い。
【００９５】
また、実施例２において、ＩＳＯ感度を上げて白色ＬＥＤの見かけ上の光量を上げたが、閃光装置でのプリ発光に適用しても良い。尚、実施例２において、白色ＬＥＤでＩＳＯ感度を変更する際、予め決められた値とは、光量で１段毎、０．５段毎など任意な値で良い。
【００９６】
また、実施例２において、第１の光源４８である白色ＬＥＤのプリ発光で、その光量が大きかった場合にＩＳＯ感度を下げたが、駆動電流や駆動電圧を下げることでも良い。
【００９７】
また、光量を減光しながら繰り返し白色ＬＥＤでプリ発光する場合、回数や時間にて制限を掛けても良い。
【００９８】
さらに、実施例２において、第１回目の白色ＬＥＤによるプリ発光時にＩＳＯ感度を上げたが、第１回目を下げた状態から所定量上げて行く制御でも良い。
【００９９】
また、マクロなど近接撮影モードでは、白色ＬＥＤのみでプリ発光を行っても良い。
【０１００】
また、白色ＬＥＤはプリ発光のみならず、赤目緩和ランプ、ＡＦ補助光、セルフ撮影表示などと共に兼用されるものであっても良い。さらに白色ＬＥＤは第１の光源の一例であって、印加される信号の大きさに応じて一定の強度で連続発光することが可能な光源であれば他の光源を用いても構わない。
【図面の簡単な説明】
【０１０１】
【図１】本発明の実施例１に係わる撮像装置の回路構成を示すブロック図である。
【図２】本発明の実施例１に係わる撮像装置の主要分の動作の一部を示すフローチャートである。
【図３】図２の動作の続きを示すフローチャートである。
【図４】本発明の実施例１に係わる撮像装置の測距・測光処理を示すフローチャートである。
【図５】本発明の実施例１に係わる撮像装置の撮影処理を示すフローチャートである。
【図６】本発明の実施例１に係わる撮像装置において補助光光量に関するイメージ図である
【図７】本発明の実施例１に係わる撮像装置の記録処理を示すフローチャートである。
【図８】本発明の実施例２に係わる撮像装置の撮像処理を示すフローチャートである。
【図９】一般的な放電管の色温度を説明するための図である
【図１０】一般的な放電管の発光特性を説明するための図である
【図１１】一般的な閃光装置内のメインコンデンサ電圧と放電管の放電特性を説明するための図である
【符号の説明】
【０１０２】
１０    撮像光学系
１２    シャッタ
１４    撮像素子
２０    画像処理回路
２２    メモリ制御回路
２４    画像表示メモリ
２８    画像表示部
３０    メモリ
４０    露光制御回路
４８    第１の光源（白色ＬＥＤ）
４９    第２の光源（閃光装置）
５０    システム制御回路
５２    メモリ
１００  撮像装置
【図１】
2006343646.tif 000003
【図２】
2006343646.tif 000004
【図３】
2006343646.tif 000005
【図４】
2006343646.tif 000006
【図５】
2006343646.tif 000007
【図６】
2006343646.tif 000008
【図７】
2006343646.tif 000009
【図８】
2006343646.tif 000010
【図９】
2006343646.tif 000011
【図１０】
2006343646.tif 000012
【図１１】
2006343646.tif 000013